(57)【要約】【課題】車両幅方向及び車両前後方向の二方向の荷重入力に対してサスペンション支持部の剛性を高めることができる車両用サスペンション支持部構造を得る。【解決手段】サスペンションタワー本体２２における車両幅方向内側の第一縦壁部２６の前端部及び後端部には延設リブ３４が形成されている。延設リブ３４は、車両幅方向内側に突出して車両上下方向に延在すると共に、下端部がフロントサイドメンバ１２の上面１４Ａに接続されている。サスペンションタワー本体２２の前後一対の第二縦壁部２８には、アッパアーム取付孔２６Ａの両サイドに内側リブ３６及び外側リブ３８が形成されている。内側リブ３６及び外側リブ３８は、車両前後方向でかつサスペンションを収容する側とは反対側に突出して車両上下方向に延在すると共に、下端部がフロントサイドメンバ１２の上面１４Ａに接続されている。【選択図】図１
2014201265.tif 000002
【特許請求の範囲】
【請求項１】
車体の両サイドに設けられて車両前後方向に沿って配置されたサイドメンバと、
前記サイドメンバの上面に取り付けられ、サスペンションを収容すると共に、天壁部、車両幅方向内側の第一縦壁部及び前後一対の第二縦壁部に前記サスペンションが支持されたサスペンションタワー本体と、
前記サスペンションタワー本体の前記第一縦壁部に形成され、車両幅方向内側に突出して車両上下方向に延在すると共に、下端部が前記サイドメンバの上面に接続された第一リブと、
前記サスペンションタワー本体の前記前後一対の第二縦壁部に形成され、車両前後方向でかつ前記サスペンションを収容する側とは反対側に突出して車両上下方向に延在すると共に、下端部が前記サイドメンバの上面に接続された前後対の第二リブと、
を有する車両用サスペンション支持部構造。
【請求項２】
前記前後一対の第二縦壁部において前記サスペンション側から荷重が入力される部位よりも上方側の高さ位置に前記第二リブの上端位置が設定されている、請求項１記載の車両用サスペンション支持部構造。
【請求項３】
前記第一リブは、前記前後一対の第二縦壁部における各々の車両幅方向内側の延長位置に延設された前後一対の延設リブを含んで構成されている、請求項１又は請求項２に記載の車両用サスペンション支持部構造。
【請求項４】
前記第一縦壁部には、車両幅方向内側に突出して前記前後一対の延設リブを連結する連結リブが形成されている、請求項３記載の車両用サスペンション支持部構造。
【請求項５】
前記連結リブは、前記第一縦壁部において前記サスペンション側から荷重が入力される部位に対応する高さ位置に設定されている、請求項４記載の車両用サスペンション支持部構造。
【請求項６】
前記第二リブは、
前記前後一対の第二縦壁部において前記サスペンション側から荷重が入力される部位よりも車両幅方向内側に形成された内側リブと、
前記前後一対の第二縦壁部において前記サスペンション側から荷重が入力される部位よりも車両幅方向外側に形成された外側リブと、
を含んで構成されている、請求項１〜請求項５のいずれか１項に記載の車両用サスペンション支持部構造。
【請求項７】
前記内側リブは、前記第一縦壁部と車両幅方向の位置が同じ位置に設定されている、請求項６記載の車両用サスペンション支持部構造。
【請求項８】
前記前後一対の延設リブの各突出方向の先端部から車両前後方向に沿って互いに離反する方向に突出して車両上下方向に延在すると共に下端部が前記サイドメンバの上面に接続された前後一対の補剛リブが形成され、
前記延設リブと前記補剛リブとで形成される第一稜線が前記連結リブの突出先端側の第二稜線と交差するように設定されている、請求項４又は請求項５に記載の車両用サスペンション支持部構造。
【請求項９】
前記前後一対の延設リブには、互いの対向側とは反対側に突出して前記補剛リブと前記第二リブとを連結する補強リブが形成され、
前記補強リブは、前記連結リブと同じ高さ位置に設定されている、請求項８記載の車両用サスペンション支持部構造。
【請求項１０】
前記第一縦壁部には、その車両前後方向中間部から車両幅方向外側に突出して前記サスペンションが取り付けられる被取付リブが形成されると共に車両幅方向外側に突出して前記前後一対の第二縦壁部の各々と前記被取付リブとを連結する補強用リブが形成されている、請求項１〜請求項９のいずれか１項に記載の車両用サスペンション支持部構造。
【請求項１１】
前記サスペンションタワー本体の下端部には、前記第一リブの下端部と前記第二リブの下端部とを一体に連結しかつ前記サイドメンバの上面に結合されたフランジ部が設けられている、請求項１〜請求項１０のいずれか１項に記載の車両用サスペンション支持部構造。
【発明の詳細な説明】
【技術分野】
【０００１】
本発明は、車両用サスペンション支持部構造に関する。
【背景技術】
【０００２】
サスペンションタワーにおいては、荷重入力時の変形を抑えるために、種々の構造が採用されている。例えば、サスペンションタワー本体の車両幅方向内側の側面部にリブを形成した構造がある（例えば、特許文献１参照）。このような構造では、リブは、サスペンションタワー本体から車両幅方向内側に突出して略車両上下方向に延在しかつ下端部がフロントサイドメンバの上面に接続されると共にクロスメンバに接合されている。
【先行技術文献】
【特許文献】
【０００３】
【特許文献１】特開平８−１７５４２６公報
【特許文献２】特開２００５−２１９６０７公報
【特許文献１】特開２０１１−００５８８２公報
【発明の概要】
【発明が解決しようとする課題】
【０００４】
しかしながら、このような構造では、車両幅方向の荷重入力に対してはサスペンション支持部の剛性を高めることができるものの、車両幅方向及び車両前後方向の二方向の荷重入力に対してサスペンション支持部の剛性を高める点に関しては改善の余地がある。
【０００５】
本発明は、上記事実を考慮して、車両幅方向及び車両前後方向の二方向の荷重入力に対してサスペンション支持部の剛性を高めることができる車両用サスペンション支持部構造を得ることが目的である。
【課題を解決するための手段】
【０００６】
請求項１に記載する本発明の車両用サスペンション支持部構造は、車体の両サイドに設けられて車両前後方向に沿って配置されたサイドメンバと、前記サイドメンバの上面に取り付けられ、サスペンションを収容すると共に、天壁部、車両幅方向内側の第一縦壁部及び前後一対の第二縦壁部に前記サスペンションが支持されたサスペンションタワー本体と、前記サスペンションタワー本体の前記第一縦壁部に形成され、車両幅方向内側に突出して車両上下方向に延在すると共に、下端部が前記サイドメンバの上面に接続された第一リブと、前記サスペンションタワー本体の前記前後一対の第二縦壁部に形成され、車両前後方向でかつ前記サスペンションを収容する側とは反対側に突出して車両上下方向に延在すると共に、下端部が前記サイドメンバの上面に接続された前後対の第二リブと、を有する。
【０００７】
上記構成によれば、サイドメンバの上面に取り付けられたサスペンションタワー本体がサスペンションを収容している。サスペンションは、サスペンションタワー本体の天壁部、車両幅方向内側の第一縦壁部及び前後一対の第二縦壁部に支持されている。サスペンションタワー本体の第一縦壁部には、第一リブが形成されており、この第一リブは、車両幅方向内側に突出して車両上下方向に延在すると共に、下端部がサイドメンバの上面に接続されている。このため、サスペンション側からサスペンションタワー本体の第一縦壁部に対して車両幅方向内側への荷重が入力されても、第一縦壁部が第一リブに支持される。よって、第一縦壁部の車両幅方向内側への変位量が抑えられ、第一縦壁部の倒れ込みが抑制される。そして、第一縦壁部に入力された荷重は、第一リブを介してサイドメンバ側へ伝達される。
【０００８】
また、サスペンションタワー本体の前後一対の第二縦壁部には、前後対の第二リブが形成され、前後対の第二リブは、車両前後方向でかつサスペンションを収容する側とは反対側に突出して車両上下方向に延在すると共に、下端部がサイドメンバの上面に接続されている。このため、サスペンション側からサスペンションタワー本体の前後一対の第二縦壁部に対して車両前後方向の荷重が入力されても、第二縦壁部が第二リブに支持される。よって、第二縦壁部の車両前後方向への変位量が抑えられ、第二縦壁部の倒れ込みが抑制される。また、第二縦壁部に入力された荷重は、第二リブを介してサイドメンバ側へ伝達される。
【０００９】
さらに、サスペンション側からサスペンションタワー本体に対して車両幅方向への入力と車両前後方向への入力とが同時に入力されてねじり荷重が作用した場合、サスペンションタワー本体のねじれ変形が第一リブ及び第二リブによって抑制される。
【００１０】
請求項２に記載する本発明の車両用サスペンション支持部構造は、請求項１記載の構成において、前記前後一対の第二縦壁部において前記サスペンション側から荷重が入力される部位よりも上方側の高さ位置に前記第二リブの上端位置が設定されている。
【００１１】
上記構成によれば、サスペンション側からサスペンションタワー本体の前後一対の第二縦壁部に対して車両前後方向の荷重が入力された場合、当該荷重が入力される部位の高さ位置を含むように車両上下方向に延在する第二リブによって第二縦壁部が支持される。よって、第二縦壁部は、サスペンション側から荷重が入力される部位及びその高さ位置での変形が第二リブによって抑制されると共に、第二縦壁部の車両前後方向への変位量が効果的に抑えられる。また、第二縦壁部に入力された荷重は、第二リブを介してサイドメンバ側へ効果的に伝達される。
【００１２】
請求項３に記載する本発明の車両用サスペンション支持部構造は、請求項１又は請求項２に記載の構成において、前記第一リブは、前記前後一対の第二縦壁部における各々の車両幅方向内側の延長位置に延設された前後一対の延設リブを含んで構成されている。
【００１３】
上記構成によれば、第一リブとしての延設リブは、前後一対の第二縦壁部における各々の車両幅方向内側の延長位置に延設されているので、第二縦壁部で受けた荷重の一部が延設リブにも分担される。すなわち、サスペンション側からサスペンションタワー本体の前後一対の第二縦壁部に対して車両前後方向の荷重が入力された場合、第二縦壁部に加えて延設リブも、前記荷重の入力方向と略直交する壁部として荷重を受ける。これにより、第一縦壁部の車両幅方向内側への変形を抑制する第一リブとしての延設リブによって、第二縦壁部の車両前後方向への変形も抑制される。
【００１４】
請求項４に記載する本発明の車両用サスペンション支持部構造は、請求項３記載の構成において、前記第一縦壁部には、車両幅方向内側に突出して前記前後一対の延設リブを連結する連結リブが形成されている。
【００１５】
上記構成によれば、第一縦壁部には、車両幅方向内側に突出して前後一対の延設リブを連結する連結リブが形成されているので、第一縦壁部の面剛性が高められる。また、サスペンション側からサスペンションタワー本体に対して車両幅方向への入力と車両前後方向への入力とが同時に入力されてねじり荷重が作用した場合、前後一対の延設リブ同士の相対位置関係のずれが連結リブによって抑えられる。すなわち、第一縦壁部のねじり剛性が高められ、第一縦壁部の変形が抑制される。
【００１６】
請求項５に記載する本発明の車両用サスペンション支持部構造は、請求項４記載の構成において、前記連結リブは、前記第一縦壁部において前記サスペンション側から荷重が入力される部位に対応する高さ位置に設定されている。
【００１７】
上記構成によれば、サスペンション側からサスペンションタワー本体の第一縦壁部に対して車両幅方向内側への荷重が入力された場合、当該荷重は連結リブの形成部位に直接作用する。このため、当該荷重は、連結リブに効率的に伝達された後、前後一対の延設リブを介してサイドメンバ側に伝達される。これにより、第一縦壁部では、サスペンション側から荷重が入力される部位での局所的な曲げ変形が抑えられる。
【００１８】
請求項６に記載する本発明の車両用サスペンション支持部構造は、請求項１〜請求項５のいずれか１項に記載の構成において、前記第二リブは、前記前後一対の第二縦壁部において前記サスペンション側から荷重が入力される部位よりも車両幅方向内側に形成された内側リブと、前記前後一対の第二縦壁部において前記サスペンション側から荷重が入力される部位よりも車両幅方向外側に形成された外側リブと、を含んで構成されている。
【００１９】
上記構成によれば、第二リブとしての内側リブは、前後一対の第二縦壁部においてサスペンション側から荷重が入力される部位よりも車両幅方向内側に形成されている。これに対して、第二リブとしての外側リブは、前後一対の第二縦壁部においてサスペンション側から荷重が入力される部位よりも車両幅方向外側に形成されている。これらにより、サスペンション側からサスペンションタワー本体の前後一対の第二縦壁部に対して車両前後方向の荷重が入力された場合、当該荷重が入力された部位は、内側リブ及び外側リブによって左右バランス良く支持される。よって、第二縦壁部が荷重を受けても、第二縦壁部ではその車両幅方向内側の部位に対する車両幅方向外側の部位の相対変位が抑えられる。
【００２０】
請求項７に記載する本発明の車両用サスペンション支持部構造は、請求項６記載の構成において、前記内側リブは、前記第一縦壁部と車両幅方向の位置が同じ位置に設定されている。
【００２１】
上記構成によれば、第二リブとしての内側リブは、第一縦壁部と車両幅方向の位置が同じ位置に設定されているので、第一縦壁部で受けた荷重の一部が内側リブにも分担される。すなわち、第二縦壁部の車両前後方向への変形を抑制する第二リブとしての内側リブが、第一縦壁部の車両幅方向内側への変形抑制にも寄与する。
【００２２】
請求項８に記載する本発明の車両用サスペンション支持部構造は、請求項４又は請求項５に記載の構成において、前記前後一対の延設リブの各突出方向の先端部から車両前後方向に沿って互いに離反する方向に突出して車両上下方向に延在すると共に下端部が前記サイドメンバの上面に接続された前後一対の補剛リブが形成され、前記延設リブと前記補剛リブとで形成される第一稜線が前記連結リブの突出先端側の第二稜線と交差するように設定されている。
【００２３】
上記構成によれば、前後一対の補剛リブは、前後一対の延設リブの各突出方向の先端部から車両前後方向に沿って互いに離反する方向に突出して車両上下方向に延在し、下端部がサイドメンバの上面に接続されている。このため、サスペンション側からサスペンションタワー本体の前後一対の第二縦壁部に対して車両前後方向の荷重が入力された場合、第二縦壁部の延長位置に延設された延設リブが補剛リブに支持される。また、前後一対の延設リブに荷重が作用した場合、サスペンションタワー本体に対する延設リブの相対変位が連結リブ及び補剛リブによって抑制される。
【００２４】
また、延設リブと補剛リブとで形成される第一稜線は、連結リブの突出先端側の第二稜線と交差するように設定されている。このため、連結リブに作用する荷重の一部が延設リブと補剛リブとで形成する第一稜線に沿ってサイドメンバ側へ効率的に伝達される。
【００２５】
請求項９に記載する本発明の車両用サスペンション支持部構造は、請求項８記載の構成において、前記前後一対の延設リブには、互いの対向側とは反対側に突出して前記補剛リブと前記第二リブとを連結する補強リブが形成され、前記補強リブは、前記連結リブと同じ高さ位置に設定されている。
【００２６】
上記構成によれば、前後一対の延設リブには、互いの対向側とは反対側に突出して補剛リブと第二リブとを連結する補強リブが形成されている。このため、前後一対の延設リブに荷重が作用した場合、サスペンションタワー本体に対する延設リブの相対変位が連結リブ、補剛リブ、第二リブ及び補強リブによって効果的に抑制される。また、補強リブは、サスペンションタワー本体から離れて設定された補剛リブに対して車両幅方向の荷重が作用した場合に当該補剛リブを支える機能も併せて有する。
【００２７】
ここで、補強リブは、連結リブと同じ高さ位置に設定されている。このため、連結リブに作用する荷重の一部が延設リブにおける補強リブの形成部に直接伝達される。よって、連結リブと延設リブとの接続部の局所変形が抑制される。
【００２８】
請求項１０に記載する本発明の車両用サスペンション支持部構造は、請求項１〜請求項９のいずれか１項に記載の構成において、前記第一縦壁部には、その車両前後方向中間部から車両幅方向外側に突出して前記サスペンションが取り付けられる被取付リブが形成されると共に車両幅方向外側に突出して前記前後一対の第二縦壁部の各々と前記被取付リブとを連結する補強用リブが形成されている。
【００２９】
上記構成によれば、第一縦壁部にはその車両前後方向中間部から車両幅方向外側に突出する被取付リブが形成されており、この被取付リブにサスペンションが取り付けられている。また、第一縦壁部には車両幅方向外側に突出する補強用リブが形成されており、この補強用リブは、前後一対の第二縦壁部の各々と被取付リブとを連結している。このため、第二縦壁部及び被取付リブに荷重が作用する場合、その荷重の一部が補強用リブを介して第一縦壁部に分担されるので、第二縦壁部及び被取付リブの変形が抑制される。
【００３０】
請求項１１に記載する本発明の車両用サスペンション支持部構造は、請求項１〜請求項１０のいずれか１項に記載の構成において、前記サスペンションタワー本体の下端部には、前記第一リブの下端部と前記第二リブの下端部とを一体に連結しかつ前記サイドメンバの上面に結合されたフランジ部が設けられている。
【００３１】
上記構成によれば、サスペンションタワー本体の下端部に設けられたフランジ部が、第一リブの下端部と第二リブの下端部とを一体に連結しかつサイドメンバの上面に結合されている。このため、第一リブの下端部及び第二リブの下端部が一層安定的にサイドメンバの上面に接続される。よって、サスペンションタワー本体側から第一リブ及び第二リブに荷重が作用した場合、第一リブ及び第二リブは、サスペンションタワー本体を一層安定的に支持することができる。
【発明の効果】
【００３２】
以上説明したように、本発明に係る請求項１に記載の車両用サスペンション支持部構造によれば、車両幅方向及び車両前後方向の二方向の荷重入力に対してサスペンション支持部の剛性を高めることができるという優れた効果を有する。
【００３３】
請求項２に記載の車両用サスペンション支持部構造によれば、第二縦壁部においてサスペンション側から荷重が入力される部位及びその高さ位置での変形を効果的に抑えることで第二縦壁部の車両前後方向への倒れ込みを抑制することができるという優れた効果を有する。
【００３４】
請求項３に記載の車両用サスペンション支持部構造によれば、第一縦壁部の車両幅方向内側への変形を抑制する延設リブによって、前後一対の第二縦壁部の面剛性を向上させることができるという優れた効果を有する。
【００３５】
請求項４に記載の車両用サスペンション支持部構造によれば、第一縦壁部のねじり剛性を高めることで、サスペンションをより安定的に支持することができるという優れた効果を有する。
【００３６】
請求項５に記載の車両用サスペンション支持部構造によれば、第一縦壁部の局所的な曲げ変形を抑制することで、サスペンションをより一層安定的に支持することができるという優れた効果を有する。
【００３７】
請求項６に記載の車両用サスペンション支持部構造によれば、サスペンション側から第二縦壁部への入力荷重を左右バランス良く支持することで第二縦壁部の回動変位を効果的に抑制することができるという優れた効果を有する。
【００３８】
請求項７に記載の車両用サスペンション支持部構造によれば、第二縦壁部の車両前後方向への変形を抑制する内側リブを、第一縦壁部の面剛性向上に寄与させることができるという優れた効果を有する。
【００３９】
請求項８に記載の車両用サスペンション支持部構造によれば、サスペンション側からサスペンションタワー本体の第一縦壁部に対して車両幅方向内側への荷重が入力された場合に第一縦壁部の変形を一層効果的に抑制することできるという優れた効果を有する。
【００４０】
請求項９に記載の車両用サスペンション支持部構造によれば、サスペンションタワー本体に対する延設リブの相対変位を効果的に抑制することができると共に補剛リブを補強的に支持することができるという優れた効果を有する。
【００４１】
請求項１０に記載の車両用サスペンション支持部構造によれば、第二縦壁部及び被取付リブの面剛性を向上させることができるという優れた効果を有する。
【００４２】
請求項１１に記載の車両用サスペンション支持部構造によれば、第一リブ及び第二リブによってサスペンションタワー本体を一層安定的に支持することで、サスペンションを一層安定的に支持することができるという優れた効果を有する。
【図面の簡単な説明】
【００４３】
【図１】本発明の第１の実施形態に係る車両用サスペンション支持部構造を示す斜視図である。
【図２】図１の２−２線に沿った拡大断面図である。
【図３】本発明の第２の実施形態に係る車両用サスペンション支持部構造を示す斜視図である。
【図４】図３の４−４線に沿った拡大断面図である。
【発明を実施するための形態】
【００４４】
［第１の実施形態］
本発明の第１の実施形態に係る車両用サスペンション支持部構造について図１及び図２を用いて説明する。なお、これらの図において適宜示される矢印ＦＲは車両前方側を示しており、矢印ＵＰは車両上方側を示しており、矢印ＩＮは車両幅方向内側を示している。
【００４５】
図１には、車体前部１０の右側部分に設けられた車両用サスペンション支持部構造が斜視図にて示されている。なお、車体前部１０の左側部分に設けられた車両用サスペンション支持部構造は、図１とは左右対称に構成されている。
【００４６】
（サスペンションタワー及びその周辺構造）
図１に示されるように、車体前部１０には、フロントサイドメンバ１２が配設されている。フロントサイドメンバ１２は、車体前部１０の両サイドに設けられ、車両前後方向に沿って配置されている。このフロントサイドメンバ１２は、車両骨格部材であり、車両幅方向内側部分を構成するフロントサイドメンバインナ１４と、車両幅方向外側部分を構成するフロントサイドメンバアウタ１６と、を備えている。フロントサイドメンバインナ１４は、車両幅方向外側が開放された断面ハット形状に形成されている。これに対して、フロントサイドメンバアウタ１６は、フロントサイドメンバインナ１４の開口部分を閉止する長尺平板状に形成されている。これらのフロントサイドメンバインナ１４及びフロントサイドメンバアウタ１６が溶接により結合されることによってフロントサイドメンバ１２は閉断面構造に構成されている。
【００４７】
フロントサイドメンバ１２に対して車両幅方向外側でかつ車両上方側には、エプロンアッパメンバ１８が配設されている。エプロンアッパメンバ１８は、車両前後方向に沿って配置された車両骨格部材であり、車両下方側が開放された断面ハット形状に形成されている。
【００４８】
フロントサイドメンバ１２とエプロンアッパメンバ１８とは、サスペンションタワー２０によって連結されている。サスペンションタワー２０は、金属（例えば、アルミニウム合金やマグネシウム合金等の軽金属）により形成された鋳物製とされ、前後対称に形成されている。サスペンションタワー２０は、タワー状に形成されたサスペンションタワー本体２２を備えている。
【００４９】
（サスペンションタワー本体及びサスペンションの構成）
サスペンションタワー本体２２は、天壁部２４、車両幅方向内側の第一縦壁部２６及び前後一対の第二縦壁部２８を備えている。なお、車両前方側の第二縦壁部２８は、図１では見えない部分を構成しているが、車両後方側の第二縦壁部２８と同様の形状に形成されている。
【００５０】
前後一対の第二縦壁部２８は、車両前後方向に互いに対向しており、概ね車両上下方向及び車両幅方向を含む面を面方向として配置されている。これらの第二縦壁部２８は、略台形状とされ、上辺が下辺に比べて長く、車両幅方向内側の側辺が車両上下方向に沿って延びているのに対し、車両幅方向外側の側辺が車両上方側へ向けて車両幅方向外側に傾斜している。第二縦壁部２８の上部でフロントサイドメンバ１２の上方側には、後述するサスペンション５０（図２参照）の取付け用としてアッパアーム取付孔２８Ａが貫通形成されている。
【００５１】
第一縦壁部２６は、前後一対の第二縦壁部２８における車両幅方向内側の端部同士を連結しており、概ね車両上下方向及び車両前後方向を含む面を面方向として配置されている。また、天壁部２４は、第一縦壁部２６及び前後一対の第二縦壁部２８の各々における車両上方側の端部とそれぞれ接続されており、一般面が概ね車両前後方向及び車両幅方向を含む面を面方向として配置されている。天壁部２４における車両幅方向内側寄りの部位には、アブソーバ取付孔２４Ａが貫通形成されている。また、アブソーバ取付孔２４Ａの外周部には、後述するショックアブソーバ５２（図２参照）の締結用として複数のボルト挿通孔２４Ｂが貫通形成されている。
【００５２】
天壁部２４の上面における車両幅方向外側の部位には、エプロンアッパメンバ１８のフランジ部１８Ａが重ね合わせられて溶接により結合されている。このように、天壁部２４とエプロンアッパメンバ１８のフランジ部１８Ａとが結合されることで閉断面構造が形成されている。
【００５３】
また、サスペンションタワー本体２２は、前後一対の第二縦壁部２８の下端部の各々から互いに離反する方向に延出されたフランジ本体３０Ａを備えている。フランジ本体３０Ａは、フランジ部３０の一部を構成し、フロントサイドメンバ１２の上面１４Ａに溶接により結合されて（取り付けられて）いる。
【００５４】
図２には、図１の２−２線に沿った拡大断面図が示されている。図２に示されるように、サスペンションタワー本体２２は、サスペンション５０（図中では二点鎖線で図示）を収容している。また、サスペンションタワー本体２２の第一縦壁部２６の上部を含む部位には、その車両前後方向中間部から車両幅方向外側に突出する被取付リブ３２が前後一対で形成されている。被取付リブ３２は、車両上下方向及び車両幅方向を含む面を面方向として配置されている。前後一対の被取付リブ３２には、サスペンション５０の取付け用としてアッパアーム取付孔３２Ａが貫通形成されると共に、互いの対向面側には、ウエルドナット６０Ｂがアッパアーム取付孔３２Ａの外周部に予め固着されている。
【００５５】
本実施形態におけるサスペンション５０は、ダブルウィッシュボーン式のサスペンションとされている。このサスペンション５０は、ショックアブソーバ５２を備える共に、車両上下方向の上部にアッパアーム５６、車両上下方向の下部にロアアーム（図示省略）を備えている。
【００５６】
アッパアーム５６は、平面視で略Ｕ字形状とされ、ショックアブソーバ５２の上部外周側において車両幅方向内側に開口するように配置されている。アッパアーム５６の前後一対の内端部には、円筒状のブッシュ５８が取り付けられている。ブッシュ５８は、サスペンションタワー本体２２における前後一対の第二縦壁部２８、及び第一縦壁部２６から突出された被取付リブ３２の間に配設されている。また、ブッシュ５８の中心軸方向は、車両前後方向に設定されている。そして、前後一対の第二縦壁部２８のアッパアーム取付孔２８Ａ、ブッシュ５８、及び被取付リブ３２のアッパアーム取付孔３２Ａを貫通したボルト６０Ａの雄ねじ部が、被取付リブ３２に固着されたウエルドナット６０Ｂの雌ねじ部に螺合されている。これにより、アッパアーム５６は、第二縦壁部２８及び被取付リブ３２に取り付けられ、車両前後方向に沿ったブッシュ５８の中心軸線周りに揺動可能に支持されている。アッパアーム５６の車両前後方向中間部である外端部は、ボールジョイント６２を介して車輪支持体であるステアリングナックル（図示省略）の上端部に連結されている。前記ステアリングナックルは、車輪（図示省略）を回転可能に支持している。
【００５７】
同様に、図示しない前記ロアアームは、平面視で略Ｕ字形状とされ、ショックアブソーバ５２の下部側において車両幅方向内側に開口するように配置されている。前記ロアアームの前後一対の内端部は、ブッシュ（図示省略）等を介して、フロントサイドメンバ１２（図１参照）に連結されている。そして、前記ロアアームは、車両前後方向に沿った前記ブッシュの中心軸線周りに揺動可能に支持されている。前記ロアアームの車両前後方向中間部である外端部は、ボールジョイント（図示省略）を介して前記ステアリングナックルの下端部に連結されている。
【００５８】
さらに、前記ロアアームには、ブラケットを介してショックアブソーバ５２の下端部が車両前後方向の軸線周りに揺動可能に連結されている。ショックアブソーバ５２の上部外周には、コイルスプリング５４が巻装されている。コイルスプリング５４の上下端末は、各々に対応して設けられた上下一対のスプリングシート（図示省略）に係止されている。前記スプリングシートは、ショックアブソーバ５２の外周部に取り付けられている。ショックアブソーバ５２の上端部は、図１に示される天壁部２４におけるアブソーバ取付孔２４Ａの外周部にボルト締結により取り付けられている。なお、図１では、ボルト締結線を一点鎖線で示す
【００５９】
以上により、サスペンションタワー本体２２における天壁部２４、車両幅方向内側の第一縦壁部２６及び前後一対の第二縦壁部２８にサスペンション５０（図２参照）が支持されている。
【００６０】
（リブによる補強構造）
サスペンションタワー本体２２の前後一対の第二縦壁部２８には、サスペンション５０（図２参照）側から荷重が入力される部位であるアッパアーム取付孔２８Ａの形成部よりも車両幅方向内側に前後対の第二リブとしての内側リブ３６が形成されている。図１及び図２に示されるように、この内側リブ３６は、第一縦壁部２６と車両幅方向の位置が同じ位置に設定されている。また、前後一対の第二縦壁部２８には、アッパアーム取付孔２８Ａの形成部よりも車両幅方向外側に前後対の第二リブとしての外側リブ３８が形成されている。
【００６１】
内側リブ３６及び外側リブ３８は、車両前後方向でかつサスペンション５０（図２参照）を収容する側とは反対側に突出して車両上下方向に延在している。図１に示されるように、内側リブ３６及び外側リブ３８の各々の下端部は、フランジ本体３０Ａと一体化されてフロントサイドメンバ１２の上面１４Ａに接続されている。また、内側リブ３６及び外側リブ３８の各上端位置は、前後一対の第二縦壁部２８におけるアッパアーム取付孔２８Ａの形成部よりも上方側の高さ位置に設定されている。そして、内側リブ３６及び外側リブ３８は、車両下方側に向かうに従って車両前後方向への突出量が大きくなる形状に形成されている。内側リブ３６及び外側リブ３８の各々の下端突出先端位置は、フランジ本体３０Ａの先端位置に揃えられている。さらに、外側リブ３８の下端部は、フランジ本体３０Ａの車両幅方向外側の端部と連続して形成されている。
【００６２】
また、内側リブ３６の下端部に対して車両幅方向内側には、フランジ本体３０Ａから車両幅方向内側に張り出した延長フランジ３０Ｂが形成されている。延長フランジ３０Ｂは、フランジ本体３０Ａと同様にフロントサイドメンバ１２の上面１４Ａに溶接により結合されて（取り付けられて）いる。この延長フランジ３０Ｂは、サスペンションタワー本体２２の下端部に設けられたフランジ部３０の一部を構成している。
【００６３】
一方、サスペンションタワー本体２２の第一縦壁部２６には、第一リブとしての前後一対の延設リブ３４が形成されている。前後一対の延設リブ３４は、前後一対の第二縦壁部２８における各々の車両幅方向内側の延長位置に延設されたリブであり、車両幅方向内側に突出して車両上下方向に延在している。前後一対の延設リブ３４の下端部は、延長フランジ３０Ｂと一体化されてフロントサイドメンバ１２の上面１４Ａに接続されている。延設リブ３４は、車両下方側に向かうに従って車両幅方向内側への突出量が大きくなる形状に形成されている。延設リブ３４の下端部は、延長フランジ３０Ｂと連続して形成されている。換言すれば、延長フランジ３０Ｂ及びフランジ本体３０Ａを備えたフランジ部３０は、内側リブ３６の下端部、外側リブ３８の下端部、及び延設リブ３４の下端部を一体に連結している。
【００６４】
また、第一縦壁部２６には、車両幅方向内側に突出して前後一対の延設リブ３４を連結する連結リブ４２が形成されている。連結リブ４２は、第一縦壁部２６においてサスペンション５０（図２参照）側から荷重が入力される部位である被取付リブ３２（図２参照）の形成部に対応する高さ位置（より詳細にはアッパアーム取付孔３２Ａ（図２参照）と同じ高さ位置）に設定されている。連結リブ４２は、平面視で矩形状とされ、車両幅方向内側への突出量が車両前方側の端部から車両後方側の端部まで一定とされている。
【００６５】
前後一対の延設リブ３４の各突出方向の先端部からは車両前後方向に沿って互いに離反する方向に突出した前後一対の補剛リブ４４が形成されている。補剛リブ４４は、車両上下方向に（厳密には車両下方側へ向けて若干車両幅方向内側に傾斜するように）延在している。補剛リブ４４の下端部は、延長フランジ３０Ｂと一体化されてフロントサイドメンバ１２の上面１４Ａに接続されている。補剛リブ４４の上端位置は、前後一対の第二縦壁部２８におけるアッパアーム取付孔２８Ａの形成部よりも上方側の高さ位置に設定されている。
【００６６】
補剛リブ４４は、車両下方側に向かうに従って車両前後方向への突出量が大きくなる形状に形成されている。補剛リブ４４の下端部は、延長フランジ３０Ｂにおける車両幅方向内側の端部と連続して形成されている。また、補剛リブ４４の下端突出先端部における車両前後方向位置は、当該補剛リブ４４の車両幅方向外側に並設された内側リブ３６及び外側リブ３８の下端突出先端部における車両前後方向位置に揃えられている。延設リブ３４と補剛リブ４４とで形成される第一稜線Ｌ１は、連結リブ４２の突出先端側の第二稜線Ｌ２、Ｌ３と交差するように設定されている。
【００６７】
また、図１及び図２に示されるように、前後一対の延設リブ３４には、互いの対向側とは反対側に突出して補剛リブ４４と内側リブ３６とを連結する補強リブ４６が形成されている。補強リブ４６は、連結リブ４２と同じ高さ位置に設定され、平面視で矩形状とされている。補強リブ４６の突出先端位置は、補剛リブ４４の突出先端位置及び内側リブ３６の突出先端位置に揃えられている。
【００６８】
なお、延長フランジ３０Ｂ（図１参照）、内側リブ３６、外側リブ３８、延設リブ３４、連結リブ４２、補剛リブ４４及び補強リブ４６は、サスペンションタワー２０の製造時にサスペンションタワー本体２２と一体に形成される。すなわち、サスペンションタワー２０は、形状の自由度が高いという鋳物の特性を活かして多数のリブが一体に形成された構造となっている。
【００６９】
（作用・効果）
次に、上記実施形態の作用及び効果について説明する。
【００７０】
上記構成の車両用サスペンション支持部構造では、図１に示されるフロントサイドメンバ１２の上面１４Ａに取り付けられたサスペンションタワー本体２２が、サスペンション５０（図２参照）を収容する。サスペンション５０（図２参照）は、サスペンションタワー本体２２の天壁部２４、車両幅方向内側の第一縦壁部２６及び前後一対の第二縦壁部２８に支持されている。
【００７１】
サスペンションタワー本体２２の前後一対の第二縦壁部２８には、それぞれ前後対の内側リブ３６及び外側リブ３８が形成されている。それぞれ前後対の内側リブ３６及び外側リブ３８は、車両前後方向でかつサスペンション５０（図２参照）を収容する側とは反対側に突出して車両上下方向に延在すると共に、下端部がフランジ本体３０Ａと一体化されてフロントサイドメンバ１２の上面１４Ａに接続されている。このため、サスペンション５０（図２参照）側からサスペンションタワー本体２２の前後一対の第二縦壁部２８に対して車両前後方向の荷重が入力されても、第二縦壁部２８が内側リブ３６及び外側リブ３８に支持される。よって、第二縦壁部２８の車両前後方向への変位量が抑えられ、第二縦壁部２８の倒れ込みが抑制される。また、第二縦壁部２８に入力された荷重の一部は、内側リブ３６及び外側リブ３８を介してフロントサイドメンバ１２側へ伝達される。
【００７２】
また、サスペンション５０（図２参照）側からサスペンションタワー本体２２に対して車両幅方向への入力と車両前後方向への入力とが同時に入力されてねじり荷重が作用した場合には、延設リブ３４等と共に内側リブ３６及び外側リブ３８がサスペンションタワー本体２２のねじれ変形を抑制する。
【００７３】
また、本実施形態では、内側リブ３６及び外側リブ３８の各上端位置は、前後一対の第二縦壁部２８におけるアッパアーム取付孔２８Ａの形成部よりも上方側の高さ位置に設定されている。このため、サスペンション５０（図２参照）側からサスペンションタワー本体２２の前後一対の第二縦壁部２８に対して車両前後方向の荷重が入力された場合、当該荷重が入力される部位の高さ位置を含むように車両上下方向に延在する内側リブ３６及び外側リブ３８によって第二縦壁部２８が支持される。よって、第二縦壁部２８は、サスペンション５０（図２参照）側から荷重が入力される部位及びその高さ位置での変形が内側リブ３６及び外側リブ３８によって抑制されると共に、第二縦壁部２８の車両前後方向への変位量が効果的に抑えられる。
【００７４】
また、内側リブ３６は、前後一対の第二縦壁部２８におけるアッパアーム取付孔２８Ａの形成部よりも車両幅方向内側に形成されている。これに対して、外側リブ３８は、前後一対の第二縦壁部２８におけるアッパアーム取付孔２８Ａの形成部よりも車両幅方向外側に形成されている。これらにより、サスペンション５０（図２参照）側からサスペンションタワー本体２２の前後一対の第二縦壁部２８に対して車両前後方向の荷重が入力された場合、当該荷重が入力されたアッパアーム取付孔２８Ａの形成部は、内側リブ３６及び外側リブ３８によって左右バランス良く支持される。よって、第二縦壁部２８が荷重を受けても、第二縦壁部２８ではその車両幅方向内側の部位に対する車両幅方向外側の部位の相対変位（換言すれば第二縦壁部２８の回動変位）が抑えられる。
【００７５】
また、内側リブ３６は、第一縦壁部２６と車両幅方向の位置が同じ位置に設定されているので、第一縦壁部２６で受けた荷重の一部が内側リブ３６にも分担される。すなわち、第二縦壁部２８の車両前後方向への変形を抑制する内側リブ３６が、第一縦壁部２６の車両幅方向内側への変形抑制（換言すれば第一縦壁部２６の面剛性向上）にも寄与する。
【００７６】
一方、サスペンションタワー本体２２の第一縦壁部２６には、前後一対の延設リブ３４が形成され、延設リブ３４は、車両幅方向内側に突出して車両上下方向に延在すると共に、下端部が延長フランジ３０Ｂと一体化されてフロントサイドメンバ１２の上面１４Ａに接続されている。このため、サスペンション５０（図２参照）側からサスペンションタワー本体２２の第一縦壁部２６に対して車両幅方向内側への荷重が入力されても、第一縦壁部２６が前後一対の延設リブ３４に支持される。よって、第一縦壁部２６の車両幅方向内側への変位量が抑えられ、第一縦壁部２６の倒れ込みが抑制される。そして、第一縦壁部２６に入力された荷重の一部は、前後一対の延設リブ３４を介してフロントサイドメンバ１２側へ伝達される。
【００７７】
また、本実施形態では、前後一対の延設リブ３４は、前後一対の第二縦壁部２８における各々の車両幅方向内側の延長位置に延設されているので、第二縦壁部２８で受けた荷重の一部が延設リブ３４にも分担される。すなわち、サスペンション５０（図２参照）側からサスペンションタワー本体２２の前後一対の第二縦壁部２８に対して車両前後方向の荷重が入力された場合、第二縦壁部２８に加えて延設リブ３４も、前記荷重の入力方向と略直交する壁部として荷重を受ける。これにより、第一縦壁部２６の車両幅方向内側への変形を抑制する延設リブ３４によって、第二縦壁部２８の車両前後方向への変形も抑制される。すなわち、延設リブ３４で第二縦壁部２８の面剛性を向上させることもできる。
【００７８】
また、本実施形態では、第一縦壁部２６には、車両幅方向内側に突出して前後一対の延設リブ３４を連結する連結リブ４２が形成されているので、第一縦壁部２６の面剛性が高められる。また、図２に示されるサスペンション５０側からサスペンションタワー本体２２に対して車両幅方向への入力と車両前後方向への入力とが同時に入力されてねじり荷重（こじり）が作用した場合、前後一対の延設リブ３４同士の相対位置関係のずれが連結リブ４２によって抑えられる。すなわち、第一縦壁部２６のねじり剛性が高められる。そして、サスペンション５０が平面視で回転移動（図２の矢印Ａ参照）しようとすることで第一縦壁部２６を変形させようとする荷重（図２のｆ１、ｆ２、ｆ３、ｆ４参照）が作用しても、連結リブ４２によって第一縦壁部２６の変形が抑制される。
【００７９】
また、本実施形態では、連結リブ４２は、第一縦壁部２６においてサスペンション５０側から荷重が入力される部位に対応する高さ位置に設定されている。このため、サスペンション５０側からサスペンションタワー本体２２の第一縦壁部２６に対して車両幅方向内側への荷重が入力された場合、当該荷重は連結リブ４２の形成部位に直接作用する。よって、当該荷重は、連結リブ４２に効率的に伝達された後、前後一対の延設リブ３４を介してフロントサイドメンバ１２（図１参照）側に伝達される。これにより、第一縦壁部２６では、サスペンション５０側から荷重が入力される部位での局所的な曲げ変形が抑えられる。
【００８０】
また、本実施形態では、図１に示されるように、前後一対の補剛リブ４４が、前後一対の延設リブ３４の各突出方向の先端部から車両前後方向に沿って互いに離反する方向に突出して車両上下方向に延在している。そして、補剛リブ４４の下端部は、延長フランジ３０Ｂと一体化されてフロントサイドメンバ１２の上面１４Ａに接続されている。このため、サスペンション５０（図２参照）側からサスペンションタワー本体２２の前後一対の第二縦壁部２８に対して車両前後方向の荷重が入力された場合、第二縦壁部２８の延長位置に延設された延設リブ３４が補剛リブ４４に支持される。また、前後一対の延設リブ３４に荷重が作用した場合、サスペンションタワー本体２２に対する延設リブ３４の相対変位が連結リブ４２及び補剛リブ４４によって抑制される。
【００８１】
また、延設リブ３４と補剛リブ４４とで形成される第一稜線Ｌ１は、連結リブ４２の突出先端側の第二稜線Ｌ２、Ｌ３と交差するように設定されている。このため、連結リブ４２に作用する荷重の一部が延設リブ３４と補剛リブ４４とで形成される第一稜線Ｌ１に沿ってフロントサイドメンバ１２側へ効率的に伝達される。よって、サスペンション５０（図２参照）側からサスペンションタワー本体２２の第一縦壁部２６に対して車両幅方向内側への荷重が入力された場合、第一縦壁部２６の変形が一層効果的に抑制される。
【００８２】
また、本実施形態では、前後一対の延設リブ３４には、互いの対向側とは反対側に突出して補剛リブ４４と内側リブ３６とを連結する補強リブ４６が形成されている。このため、前後一対の延設リブ３４に荷重が作用した場合、サスペンションタワー本体２２に対する延設リブ３４の相対変位が連結リブ４２、補剛リブ４４、内側リブ３６及び補強リブ４６によって効果的に抑制される。また、補強リブ４６は、サスペンションタワー本体２２から離れて設定された補剛リブ４４に対して車両幅方向の荷重が作用した場合に当該補剛リブ４４を支える機能も併せて有する。
【００８３】
また、補強リブ４６は、連結リブ４２と同じ高さ位置に設定されている。このため、連結リブ４２に作用する荷重の一部が延設リブ３４における補強リブ４６の形成部に直接伝達される。よって、連結リブ４２と延設リブ３４との接続部の局所変形が抑制される。
【００８４】
また、本実施形態では、サスペンションタワー本体２２の下端部に設けられたフランジ部３０が、内側リブ３６の下端部、外側リブ３８の下端部、及び延設リブ３４の下端部を一体に連結しかつフロントサイドメンバ１２の上面１４Ａに結合されている。このため、内側リブ３６の下端部、外側リブ３８の下端部、及び延設リブ３４の下端部が一層安定的にフロントサイドメンバ１２の上面１４Ａに接続される。よって、サスペンションタワー本体２２側から内側リブ３６、外側リブ３８、及び延設リブ３４に荷重が作用した場合、内側リブ３６、外側リブ３８、及び延設リブ３４は、サスペンションタワー本体２２を一層安定的に支持することができる。
【００８５】
以上説明したように、本実施形態に係る車両用サスペンション支持部構造によれば、車両幅方向及び車両前後方向の二方向の荷重入力に対してサスペンション支持部の剛性を高めることができる。その結果として、サスペンション５０（図２参照）が安定的に支持されるので、乗り心地の性能が向上する。
【００８６】
なお、本実施形態の構成では、例えば、衝突時等におけるエプロンアッパメンバ１８側からサスペンションタワー２０側への荷重入力に対してもサスペンション支持部（サスペンションタワー２０）の剛性を高めることができる。
【００８７】
［第２の実施形態］
次に、本発明の第２の実施形態に係る車両用サスペンション支持部構造について、図３及び図４を用いて説明する。図３には、本実施形態における車両用サスペンション支持部構造が斜視図（第１の実施形態における図１に相当する図）にて示されている。また、図４には、図３の４−４線に沿った拡大断面図が示されている。これらの図に示されるように、本実施形態に係る車両用サスペンション支持部構造は、外側リブ３８（図１及び図２参照）に代えて前後対の第二リブとしての縦リブ７２を備える点、及び補強用リブ７４（図４参照）を備える点で、第１の実施形態に係る車両用サスペンション支持部構造とは異なる。他の構成は、第１の実施形態と実質的に同様の構成となっている。よって、第１の実施形態と実質的に同様の構成部については、同一符号を付して説明を省略する。また、本実施形態のサスペンションタワー７０は、第１の実施形態と同様に鋳物製とされ、前後対称に形成されている。
【００８８】
図３に示されるサスペンションタワー本体２２の前後一対の第二縦壁部２８には、サスペンション５０（図４参照）側から荷重が入力される部位であるアッパアーム取付孔２８Ａの形成部の直下に縦リブ７２が形成されている。縦リブ７２は、車両前後方向でかつサスペンション５０（図４参照）を収容する側とは反対側に突出して車両上下方向に延在している。縦リブ７２の下端部は、フランジ本体３０Ａと一体化されてフロントサイドメンバ１２の上面１４Ａに接続されている。また、縦リブ７２は、車両下方側に向かうに従って車両前後方向への突出量が大きくなる形状に形成されている。縦リブ７２の各々の下端突出先端位置は、フランジ本体３０Ａの先端位置に揃えられている。さらに、縦リブ７２の下端部は、フランジ本体３０Ａの車両幅方向外側の端部と連続して形成されている。
【００８９】
なお、本実施形態では、フロントサイドメンバ１２に対するサスペンション５０（図４参照）の相対位置は、第１の実施形態の場合よりも車両幅方向外側に設定されている。これにより、フロントサイドメンバ１２に対するサスペンションタワー本体２２におけるアッパアーム取付孔２８Ａの相対位置も、第１の実施形態の場合よりも車両幅方向外側に設定されている。より具体的には、アッパアーム取付孔２８Ａの車両幅方向の位置は、フロントサイドメンバインナ１４とフロントサイドメンバアウタ１６との結合部における車両幅方向の位置から車両幅方向内側に僅かにずれた位置に対応して設定されている。これにより、本実施形態のサスペンションタワー７０は、アッパアーム取付孔２８Ａの形成部よりも車両幅方向外側に第１の実施形態における外側リブ３８（図１及び図２参照）のようなリブを形成することができない構造になっている。ちなみに、フロントサイドメンバ１２の上方側に十分なスペースがないような場合も、第１の実施形態における外側リブ３８（図１及び図２参照）のようなリブを形成することができない。
【００９０】
一方、図４に示されるように、第一縦壁部２６には、車両幅方向外側に突出して前後一対の第二縦壁部２８の各々と被取付リブ３２とを連結する補強用リブ７４が形成されている。補強用リブ７４は、車両前後方向及び車両幅方向を含む面を面方向として配置されている。補強用リブ７４の突出先端部は、被取付リブ３２の突出先端部と、補強用リブ７４の高さ位置における第二縦壁部２８の車両幅方向外側の端部と、を繋ぐような位置に設定されている。
【００９１】
上記構成によれば、第１の実施形態における外側リブ３８（図１及び図２参照）以外の構成部による作用及び効果と同様の作用及び効果が得られる。また、上記構成では、第二縦壁部２８及び被取付リブ３２に荷重が作用する場合、その荷重の一部が補強用リブ７４を介して第一縦壁部２６に分担されるので、第二縦壁部２８及び被取付リブ３２の変形が抑制される。すなわち、第二縦壁部２８及び被取付リブ３２の面剛性を向上させることができる。また、第二縦壁部２８における内側リブ３６の形成部と、第二縦壁部２８における縦リブ７２の形成部とが、サスペンション５０の収容部側において補強用リブ７４で繋げられることで、内側リブ３６と縦リブ７２との相対位置の変化も抑えられる。よって、第二縦壁部２８に車両前後方向の荷重が作用した場合、第二縦壁部２８は、内側リブ３６及び縦リブ７２に安定的に支持される。
【００９２】
［実施形態の補足説明］
なお、上記実施形態では、車体前部１０に適用された車両用サスペンション支持部構造について説明したが、本発明に係る車両用サスペンション支持部構造は、車体後部に適用されたものでもよい。すなわち、本発明に係る車両用サスペンション支持部構造は、車体後部の両サイドに設けられて車両前後方向に沿って配置されたリヤサイドメンバを有すると共に、当該リヤサイドメンバの上面にサスペンションタワーが取り付けられた構造部に適用されてもよい。
【００９３】
また、上記実施形態の変形例として、図１等に示されるフランジ部３０を設けない構成も採り得る。換言すれば、第一リブとしての延設リブ（３４）、第二リブとしての内側リブ（３６）及び外側リブ（３８）、補剛リブ（４４）、並びに第二リブとしての縦リブ（７２）の各下端部は、フランジ部と一体化されずに単独でサイドメンバ（フロントサイドメンバ１２）の上面（１４Ａ）に結合されてもよい。
【００９４】
また、上記実施形態の変形例として、第二リブとしての内側リブ（３６）及び外側リブ（３８）の少なくとも一方の上端位置が、前後一対の第二縦壁部（２８）においてサスペンション（５０）側から荷重が入力される部位よりも下方側の高さ位置に設定される構成も採り得る。
【００９５】
また、上記実施形態の変形例として、第一リブは、前後一対の第二縦壁部（２８）における各々の車両幅方向内側の延長位置以外に延設されたリブを含んで構成されてもよい。
【００９６】
また、上記実施形態の変形例として、連結リブ（４２）は、第一縦壁部（２６）においてサスペンション（５０）側から荷重が入力される部位に対応しない高さ位置に設定されることも可能である。また、連結リブ（４２）が形成されない構成も採り得る。
【００９７】
また、上記実施形態の変形例として、内側リブ（３６）及び外側リブ（３８）のいずれかが形成されない構成も採り得る。さらに、上記実施形態の変形例として、内側リブ（３６）は、第一縦壁部（２６）と車両幅方向の位置が異なる位置に設定されてもよい。
【００９８】
また、上記実施形態の変形例として、延設リブ（３４）と補剛リブ（４４）とで形成される第一稜線（Ｌ１）が連結リブ（４２）の突出先端側の第二稜線（Ｌ２、Ｌ３）と交差しない設定とすることも可能である。また、補剛リブ（４４）が形成されない構成も採り得る。
【００９９】
また、上記実施形態の変形例として、補強リブ（４６）が連結リブ（４２）と異なる高さ位置に設定された構成も採り得るし、補強リブ（４６）が形成されない構成も採り得る。
【０１００】
さらに、請求項８に記載の「車両上下方向に延在する」の概念には、厳密な意味で車両上下方向に沿って延在する場合が含まれる他、上記実施形態のように、厳密な意味では車両上下方向に沿って延在しているとはいえないが、厳密な意味で車両上下方向に沿って延在する場合と実質的に同様の作用及び効果が得られて実質的に車両上下方向に沿って延在していると認められるような場合も含まれる。
【０１０１】
なお、上記実施形態及び上述の複数の変形例は、適宜組み合わされて実施可能である。
【０１０２】
以上、本発明の一例について説明したが、本発明は、上記に限定されるものでなく、上記以外にも、その主旨を逸脱しない範囲内において種々変形して実施可能であることは勿論である。
【符号の説明】
【０１０３】
１２    フロントサイドメンバ（サイドメンバ）
２２    サスペンションタワー本体
２４    天壁部
２６    第一縦壁部
２８    第二縦壁部
２８Ａ  アッパアーム取付孔（第二縦壁部においてサスペンション側から荷重が入力される部位）
３０    フランジ部
３２    被取付リブ
３４    延設リブ（第一リブ）
３６    内側リブ（第二リブ）
３８    外側リブ（第二リブ）
４２    連結リブ
４４    補剛リブ
４６    補強リブ
５０    サスペンション
７２    縦リブ（第二リブ）
７４    補強用リブ
Ｌ１    第一稜線
Ｌ２、Ｌ３    第二稜線
【図１】
2014201265.tif 000003
【図２】
2014201265.tif 000004
【図３】
2014201265.tif 000005
【図４】
2014201265.tif 000006